(57)【要約】【課題】本発明は風路変更装置に関するもので、ルーバー稼動時に第１のギアの摺動音を減少させることであった。【解決手段】風向を変更するルーバー４と、ルーバー４の回転中心であるルーバー軸１１と、ルーバー軸１１に回動の動力を与える第１のギア５と、第１のギア５を回動させる第２のギア６と、第２のギア６を回動させるモータ部７と、モータ部７が固定されているホルダー８と、ホルダー８が固定されている本体ケース１とを備え、第１のギア５には、ルーバー軸１１の回転軸と同軸上に中心軸を有する穴であるギア挿入口１９を設け、ホルダー８には、ルーバー軸１１の回転軸と同軸上に中心軸を有する孔であるホルダー挿入口２０を備え、ギア挿入口１９とホルダー挿入口２０にはシャフト２１を設け、シャフト２１は第１のギア５を回動自在に支持したものである。【選択図】図４
2018128144.tif 000002
【特許請求の範囲】
【請求項１】
風向を変更するルーバーと、
前記ルーバーの回転中心であるルーバー軸と、
前記ルーバー軸に回動の動力を与える第１のギアと、
前記第１のギアを回動させる第２のギアと、
前記第２のギアを回動させるモータ部と、
前記モータ部が固定されているホルダーと、
前記ホルダーが固定されている本体ケースとを備え、
前記第１のギアには、前記ルーバー軸の回転軸と同軸上に中心軸を有する穴であるギア挿入口を設け、
前記ホルダーには、前記ルーバー軸の回転軸と同軸上に中心軸を有する孔であるホルダー挿入口を備え、
前記ギア挿入口と前記ホルダー挿入口にはシャフトを設け、
前記シャフトは前記第１のギアを回動自在に支持することを特徴とする風向変更装置。
【請求項２】
前記ホルダー挿入口の円形の一部をＤカット形状とし、
前記シャフトの他方側を前記ホルダー挿入口に嵌る形状とし、
前記シャフトの一方側は前記ギア挿入口内を回動することを特徴とする請求項１記載の風向変更装置。
【請求項３】
前記ギア挿入口の円形の一部をＤカット形状とし、
前記シャフトの一方側を前記ギア挿入口に嵌る形状とし、
前記シャフトの他方側は前記ホルダー挿入口内を回動することを特徴とする請求項１記載の風向変更装置。
【発明の詳細な説明】
【技術分野】
【０００１】
本発明は、吹き出された空気の風向を変更することのできる風向変更装置に関する。
【背景技術】
【０００２】
従来、この種の風向変更装置の構成は以下のようになっている（例えば、特許文献１参照）。
【０００３】
風向を変更するルーバーと、ルーバーの回転中心であるルーバー軸と、ルーバー軸に回動の動力を与える第１のギアと、第１のギアを回動させる第２のギアと、第２のギアを回動させるモータ部と、モータ部が固定されているホルダーと、ホルダーが固定されている本体ケースとを備えている。
【先行技術文献】
【特許文献】
【０００４】
【特許文献１】特開２０１４−１９０６０４号公報
【発明の概要】
【発明が解決しようとする課題】
【０００５】
上記従来例における課題は、第１のギアの稼動時に第１のギアの摺動音を減少させることであった。
【０００６】
すなわち、従来の物においては、第１のギアの稼動時に、第１のギアとルーバー軸の回転軸がずれる場合があった。第１のギアがルーバー軸の回転軸とずれると、第１のギアと摺動するホルダーや本体ケースに過剰な応力がかかり摺動音を発生させていた。
【０００７】
そこで本発明は、第１のギアの稼動時に摺動音を発生させないことを目的とするものである。
【課題を解決するための手段】
【０００８】
そしてこの目的を達成するために本発明は、風向を変更するルーバーと、前記ルーバーの回転中心であるルーバー軸と、前記ルーバー軸に回動の動力を与える第１のギアと、前記第１のギアを回動させる第２のギアと、前記第２のギアを回動させるモータ部と、前記モータ部が固定されているホルダーと、前記ホルダーが固定されている本体ケースとを備え、前記第１のギアには、前記ルーバー軸の回転軸と同軸上に中心軸を有する穴であるギア挿入口を設け、前記ホルダーには、前記ルーバー軸の回転軸と同軸上に中心軸を有する孔であるホルダー挿入口を備え、前記ギア挿入口と前記ホルダー挿入口にはシャフトを設け、前記シャフトは前記第１のギアを回動自在に支持することを特徴とした。
【０００９】
これにより、初期の目的を達成するものである。
【発明の効果】
【００１０】
以上のように本発明は、第１のギアにルーバー軸の回転軸と同軸上に中心軸を有する穴であるギア挿入口を設け、ギア挿入口に第１のギアを回動自在に支持するシャフトを設けることにより、常に第１のギアとルーバー軸の回転軸を同一にすることができる。結果として、第１のギア稼動時に摺動する部品に過剰な応力がかからず、摺動音を発生させないことができる。
【図面の簡単な説明】
【００１１】
【図１】本発明の実施の形態１の風向変更装置の斜視図
【図２】同風向変更装置の斜視図
【図３】同風向変更装置の分解図
【図４】同風向変更装置の断面図
【発明を実施するための形態】
【００１２】
本発明の請求項１記載の風向変更装置は、風向を変更するルーバーと、前記ルーバーの回転中心であるルーバー軸と、前記ルーバー軸に回動の動力を与える第１のギアと、前記第１のギアを回動させる第２のギアと、前記第２のギアを回動させるモータ部と、前記モータ部が固定されているホルダーと、前記ホルダーが固定されている本体ケースとを備え、前記第１のギアには、前記ルーバー軸の回転軸と同軸上に中心軸を有する穴であるギア挿入口を設け、前記ホルダーには、前記ルーバー軸の回転軸と同軸上に中心軸を有する孔であるホルダー挿入口を備え、前記ギア挿入口と前記ホルダー挿入口にはシャフトを設け、前記シャフトは前記第１のギアを回動自在に支持することを特徴した構成である。
【００１３】
これにより、常に第１のギアとルーバー軸の回転軸を同一にすることができる。結果として、第１のギア稼動時に摺動する部品に過剰な応力がかからず、摺動音を発生させないことができる。
【００１４】
また、前記ホルダー挿入口の円形の一部をＤカット形状とし、前記シャフトの他方側を前記ホルダー挿入口に嵌る形状とし、前記シャフトの一方側は前記ギア挿入口内を回動することを特徴とする構成である。
【００１５】
これにより、常に第１のギアとルーバー軸の回転軸を同一にすることができる。結果として、第１のギア稼動時に摺動する部品に過剰な応力がかからず、摺動音を発生させないことができる。
【００１６】
また、前記ギア挿入口の円形の一部をＤカット形状とし、前記シャフトの一方側を前記ギア挿入口に嵌る形状とし、前記シャフトの他方側は前記ホルダー挿入口内を回動することを特徴とした構成である。
【００１７】
これにより、常に第１のギアとルーバー軸の回転軸を同一にすることができる。結果として、第１のギア稼動時に摺動する部品に過剰な応力がかからず、摺動音を発生させないことができる。
【００１８】
以下、本実施形態を添付図面を用いて説明する。
（実施の形態１）
図１は、本発明の実施の形態１の風向変更装置の斜視図である。
【００１９】
図１に示すように、本体ケース１内に設けられた送風機（図示せず）によって、吸込口２から吸込まれた空気は、空気清浄フィルタ（図示せず）、風向変更装置内部を通り、吹出口３から吹き出される。この吹き出された空気は、ルーバー４によって風向を変更することができる。
【００２０】
図２は、本発明の実施の形態１の風向変更装置の構成を示す内部部品の斜視図である。図３は、風向変更装置の構成を示す内部部品の分解図である。図４は、風向変更装置の構成を示す内部部品の断面図である。
【００２１】
図２および図３および図４に示すように、風向変更装置は、ルーバー４と、第１のギア５と、第２のギア６と、モータ部７と、ホルダー８とを備えている。
【００２２】
ルーバー４は、吹出口３に回動自在に設けられている。ルーバー４は、風向を変更する平板形状の平板部９と、平板部９の下面から直角下方へ延びた複数の支持板１０と、支持板１０の外面から外方へ延びた複数のルーバー軸１１とを有している。一方側のルーバー軸１１は円柱形状で、吹出口３の穴（図示せず）に入り、回動自在に支持されている。他方側のルーバー軸１１は、平板形状であり、第１のギア５に連結される。
【００２３】
第１のギア５は、円柱部１２と、円環部１３と、ギア部１４とを備えている。
【００２４】
円柱部１２は、水平方向に延びた円柱形状であり、円柱部１２は、円柱部１２の一方側端部には、一方のルーバー軸１１が嵌る溝部１５を備えている。溝部１５は、円柱部１２の軸方向における断面形状が四角形状である。円柱部１２の軸方向における中央部には、円環部１３を備えている。
【００２５】
円環部１３は、円環形状であり、円柱部１２の側面から外方へ突出している。円環部１３は、本体ケース１の筒形状の孔２２より大きく、本体ケース１の孔２２に、円柱部１２の一方側を入れると、本体ケース１の孔２２に開口縁２３と、円環部１３とが接触する。
【００２６】
ギア部１４は、円柱部１２の軸方向における中央部の側面から円柱部１２の軸方向に対して垂直な平面上に延びた扇形状であり、円弧部分に多数の歯１６を備えている。ギア部は、第２のギア６と噛み合い、第２のギア６が回動することによって、円柱部１２の軸を回転軸として第１のギア５が回動する。なお、円柱部１２と円環部１３とギア部１４とは、樹脂材料で一体に形成している。
【００２７】
第２のギア６は、円環形状であり、外周に多数の歯１７を有し、モータ部７によって回動する。
【００２８】
モータ部７は、一方から回転軸（図示せず）が突出し、この回転軸の先端には、第２のギア６が固定されている。モータ部７は、ホルダー８に固定されている。
【００２９】
ホルダー８は、材質が金属の板形状であり、本体ケース１に固定されている。ホルダー８は、モータ部７の回転軸が通る孔１８を有している。ホルダー８は、モータ部７と、第１のギア５および第２のギア６との間に配置されている。
【００３０】
以上の構成におけるルーバー４の回動動作について説明する。まず、モータ部７によって、モータ部７の回転軸に固定された第２のギア６が回動すると、第２のギア６と噛み合っている第１のギア５が回動する。次に、第１のギア５が回動すると、第１のギア５に連結されたルーバー軸１１を介して、ルーバー４が回動し、吹出口３から吹き出す空気の風向を変更する。
【００３１】
第１のギア５における円柱部の一方側端部には、ギア挿入口１９を備えている。ギア挿入口１９は、ルーバー軸１１の回転軸と同軸上に中心軸を有する穴である。ホルダー８には、ホルダー挿入口２０を備えている。ホルダー挿入口２０は、ルーバー軸１１の回転軸と同軸上に中心軸を有する孔である。ギア挿入口１９とホルダー挿入口２０とは、シャフト２１によって連結されている。シャフト２１の一方側はギア挿入口１９内を回動自在に支持している。
【００３２】
シャフト２１は、円柱形状で、材質が金属である。シャフト２１の一方側が、ギア挿入口１９内に入り、シャフト２１の他方側が、ホルダー挿入口２０内に入り、ギア挿入口１９とホルダー挿入口２０とを連結している。
【００３３】
これにより、シャフト２１は第１のギア５を回動自在に支持し、常に第１のギア５とルーバー軸１１の回転軸を同一にすることができる。結果として、片持ち支持ではなく、両持ち支持となり、第１のギア回動時に摺動する部品に過剰な応力がかからず、摺動音を発生させないことができる。
【００３４】
また、ホルダー挿入口２０の円形の一部をＤカット形状とし、シャフト２１の他方側をＤカット形状に嵌る形状とし、シャフト２１の一方側はギア挿入口１９内を回動自在に支持している。これにより、材質が金属であるシャフト２１が、材質が樹脂である第１のギア５のギア挿入口１９内を回動する。つまり、第１のギア５のギア挿入口１９内で、材質の異なるシャフト２１が回動するので、円滑に回動する。なおＤカット形状とは、軸方向に対して垂直な面の形状がＤ形状である。
【００３５】
また、ギア挿入口１９の円形の一部をＤカット形状とし、シャフト２１の一方側をＤカット形状に嵌る形状とし、シャフト２１の他方側はホルダー挿入口２０内を回動自在に支持してもよい。
【産業上の利用可能性】
【００３６】
以上のように本発明は、家庭用や事務所用などの、風向変更装置として活用が期待されるものである。
【符号の説明】
【００３７】
１    本体ケース
２    吸込口
３    吹出口
４    ルーバー
５    第１のギア
６    第２のギア
７    モータ部
８    ホルダー
９    平板部
１０    支持板
１１    ルーバー軸
１２    円柱部
１３    円環部
１４    ギア部
１５    溝部
１６    歯
１７    歯
１８    孔
１９    ギア挿入口
２０    ホルダー挿入口
２１    シャフト
２２    孔
２３    開口縁
【図１】
2018128144.tif 000003
【図２】
2018128144.tif 000004
【図３】
2018128144.tif 000005
【図４】
2018128144.tif 000006